(57)【要約】【課題】電子部品の複数のパラメータ間の特性を表示させる際のユーザの操作性を向上させること。【解決手段】この電子部品特性表示装置１０は、電子部品における特性変数の値を特性決定変数の値に対応付けて格納する特性情報格納部２６と、一の特性決定変数毎に他の特性決定変数の変化に対する特性変数の値の変化を特定する特性特定部２２と、一の特性決定変数毎の他の特性決定変数に対する特性変数の変化特性をグラフとして表示させるとともに、他の特性決定変数の値を入力させるＧＵＩ部品を表示させる表示制御手段２０と、ユーザから入力された他の特性決定変数の値を受け付ける入力受付部１４とを備え、特性特定部２２は、他の特性決定変数の値における一の特性決定変数の変化に対する特性変数の変化を特定し、表示制御手段２０は、一の特性決定変数に対する特性変数の変化特性をグラフとして表示させる。【選択図】図１
2008243010.tif 000002
【特許請求の範囲】
【請求項１】
電子部品の特性変数に関する特性をディスプレイ上に表示させるための電子部品特性表示システムであって、
前記電子部品における特性変数の値を、前記特性変数に関する特性を決定するパラメータである複数種類の特性決定変数の値に対応付けて格納する特性情報格納手段と、
前記特性情報格納手段を参照することによって、一の種類の前記特性決定変数毎に他の種類の前記特性決定変数の変化に対する前記特性変数の値の変化を特定する特性特定手段と、
前記特性特定手段によって特定された前記特性変数の値の変化に基づいて、前記一の種類の特性決定変数毎の前記他の種類の特性決定変数に対する前記特性変数の変化特性をグラフとしてディスプレイ上に表示させるとともに、前記グラフ上において前記他の種類の特性決定変数の値を入力させるためのＧＵＩ部品を表示させる表示制御手段と、
ユーザから前記ＧＵＩ部品を利用して入力された前記他の種類の特性決定変数の値を受け付ける入力受付手段とを備え、
前記特性特定手段は、前記入力受付手段による前記他の種類の特性決定変数の値の受け付けを契機として、該他の種類の特性決定変数の値における前記一の種類の特性決定変数の変化に対する前記特性変数の変化を特定し、
前記表示制御手段は、前記特性特定手段によって特定された前記特性変数の値の変化に基づいて、前記一の種類の特性決定変数に対する前記特性変数の変化特性をグラフとしてディスプレイ上に表示させる、
ことを特徴とする電子部品特性表示システム。
【請求項２】
前記特性特定手段は、前記他の種類の特性決定変数の値における前記一の種類の特性決定変数の変化に対する前記特性変数の変化を特定する際には、前記物性情報格納手段に格納された前記一の種類の特性決定変数の複数の値間において前記特定変数の値を補完する、
ことを特徴とする請求項１記載の電子部品特性表示システム。
【請求項３】
前記表示制御手段は、前記他の種類の特性決定変数の値に対応する前記グラフ上の位置を特定させるための操作子を表示させ、
前記入力受付手段は、前記操作子を用いて特定された位置に基づいて、前記他の種類の特性決定変数の値を受け付ける、
ことを特徴とする請求項１又は２記載の電子部品特性表示システム。
【請求項４】
電子部品の特性変数に関する特性をディスプレイ上に表示させるための電子部品特性表示プログラムであって、
コンピュータを
前記電子部品における特性変数の値を、前記特性変数に関する特性を決定するパラメータである複数種類の特性決定変数の値に対応付けて格納する特性情報格納手段、
前記特性情報格納手段を参照することによって、一の種類の前記特性決定変数毎に他の種類の前記特性決定変数の変化に対する前記特性変数の値の変化を特定する特性特定手段、
前記特性特定手段によって特定された前記特性変数の値の変化に基づいて、前記一の種類の特性決定変数毎の前記他の種類の特性決定変数に対する前記特性変数の変化特性をグラフとしてディスプレイ上に表示させるとともに、前記グラフ上において前記他の種類の特性決定変数の値を入力させるためのＧＵＩ部品を表示させる表示制御手段、及び
ユーザから前記ＧＵＩ部品を利用して入力された前記他の種類の特性決定変数の値を受け付ける入力受付手段
として機能させ、
前記特性特定手段は、前記入力受付手段による前記他の種類の特性決定変数の値の受け付けを契機として、該他の種類の特性決定変数の値における前記一の種類の特性決定変数の変化に対する前記特性変数の変化を特定し、
前記表示制御手段は、前記特性特定手段によって特定された前記特性変数の値の変化に基づいて、前記一の種類の特性決定変数に対する前記特性変数の変化特性をグラフとしてディスプレイ上に表示させる、
ることを特徴とする電子部品特性表示プログラム。
【発明の詳細な説明】
【技術分野】
【０００１】
本発明は、電子部品の特性変数に関する特性を表示するための電子部品特性表示システム及び電子部品特性表示プログラムに関するものである。
【背景技術】
【０００２】
従来から、パーソナルコンピュータやサーバ装置等のコンピュータを用いて電子部品や電子回路等の特性データをグラフ表示するシステムが使用されている。このようなシステムの例としては、下記特許文献１に記載の解析システムがある。この解析システムは、ユーザによって入力されたバッファタイプ等の入力条件に合致した半導体集積回路の電流電圧特性をディスプレイ上に表示する。
【特許文献１】特開平１１−３２８２４１号公報
【発明の開示】
【発明が解決しようとする課題】
【０００３】
しかしながら、上述したような従来のシステムにおいては、入力条件に従った電流電圧特性等の特定のパラメータ間の特性を表示するように制御されているので、解析対象として様々な電子部品を想定した場合はユーザにとっての利便性が低下する場合があった。すなわち、回路設計時等においてインダクタ等の電子部品を解析対象にする場合には、その電子部品の性能や性質を把握するためには、周波数の変化に対するインピーダンスの変化特性、バイアス電流の変化に対するインピーダンスの変化特性等の複数のパラメータ間の特性が必要になる傾向にある。この場合に、従来のシステムでは、プログラム等の設定データを変更したり、他のパラメータ等の初期条件を入力し直したりする必要があり、表示結果を得るまでに時間を要する事態を招いていた。
【０００４】
そこで、本発明は、かかる課題に鑑みて為されたものであり、電子部品の複数のパラメータ間の特性を表示させる際のユーザの操作性を向上させることが可能な電子部品特性表示システム及び電子部品特性表示プログラムを提供することを目的とする。
【課題を解決するための手段】
【０００５】
上記課題を解決するため、本発明の電子部品特性表示システムは、電子部品の特性変数に関する特性をディスプレイ上に表示させるための電子部品特性表示システムであって、電子部品における特性変数の値を、特性変数に関する特性を決定するパラメータである複数種類の特性決定変数の値に対応付けて格納する特性情報格納手段と、特性情報格納手段を参照することによって、一の種類の特性決定変数毎に他の種類の特性決定変数の変化に対する特性変数の値の変化を特定する特性特定手段と、特性特定手段によって特定された特性変数の値の変化に基づいて、一の種類の特性決定変数毎の他の種類の特性決定変数に対する特性変数の変化特性をグラフとしてディスプレイ上に表示させるとともに、グラフ上において他の種類の特性決定変数の値を入力させるためのＧＵＩ部品を表示させる表示制御手段と、ユーザからＧＵＩ部品を利用して入力された他の種類の特性決定変数の値を受け付ける入力受付手段とを備え、特性特定手段は、入力受付手段による他の種類の特性決定変数の値の受け付けを契機として、該他の種類の特性決定変数の値における一の種類の特性決定変数の変化に対する特性変数の変化を特定し、表示制御手段は、特性特定手段によって特定された特性変数の値の変化に基づいて、一の種類の特性決定変数に対する特性変数の変化特性をグラフとしてディスプレイ上に表示させる。
【０００６】
或いは、本発明の電子部品特性表示プログラムは、電子部品の特性変数に関する特性をディスプレイ上に表示させるための電子部品特性表示プログラムであって、コンピュータを、電子部品における特性変数の値を、特性変数に関する特性を決定するパラメータである複数種類の特性決定変数の値に対応付けて格納する特性情報格納手段、特性情報格納手段を参照することによって、一の種類の特性決定変数毎に他の種類の特性決定変数の変化に対する特性変数の値の変化を特定する特性特定手段、特性特定手段によって特定された特性変数の値の変化に基づいて、一の種類の特性決定変数毎の他の種類の特性決定変数に対する特性変数の変化特性をグラフとしてディスプレイ上に表示させるとともに、グラフ上において他の種類の特性決定変数の値を入力させるためのＧＵＩ部品を表示させる表示制御手段、及びユーザからＧＵＩ部品を利用して入力された他の種類の特性決定変数の値を受け付ける入力受付手段として機能させ、特性特定手段は、入力受付手段による他の種類の特性決定変数の値の受け付けを契機として、該他の種類の特性決定変数の値における一の種類の特性決定変数の変化に対する特性変数の変化を特定し、表示制御手段は、特性特定手段によって特定された特性変数の値の変化に基づいて、一の種類の特性決定変数に対する特性変数の変化特性をグラフとしてディスプレイ上に表示させる。
【０００７】
このような電子部品特性表示システム及び電子部品特性表示プログラムによれば、特性特定手段により、特性情報格納手段が参照されて一の種類の特性決定変数毎に他の種類の特性決定変数の変化に対する特性変数の値の変化が特定され、表示制御手段により、特定された変化に基づいて、他の種類の特性決定変数に対する特性変数の変化特性がグラフとしてディスプレイ上に表示される。このグラフ表示の際には、表示制御手段により、他の種類の特性決定変数を入力させるためのＧＵＩ部品が併せて表示され、入力受付手段により、ＧＵＩ部品を用いて入力された他の種類の特性決定変数の値が受け付けられると、特性特定手段によって、その値における一の種類の特性決定変数の変化に対する特性変数の変化が特定され、表示制御手段により、その特性変数の変化の特性がグラフ表示される。これにより、ある特性決定変数に対する特性変数の変化を視覚的に確認しながら、その特性決定変数の任意の値をディスプレイ上で選択することによって、その値における他の特性決定変数に対する特性変数の変化をスムーズに表示させることができる。その結果、所望の条件下における複数種類の特性決定変数に対する特性変数の変化特性を表示させる際に、表示の切り替え及び条件設定時の操作性が向上する。
【０００８】
特性特定手段は、他の種類の特性決定変数の値における一の種類の特性決定変数の変化に対する特性変数の変化を特定する際には、物性情報格納手段に格納された一の種類の特性決定変数の複数の値間において特定変数の値を補完することが好ましい。かかる特性特定手段を備えると、特性情報格納手段に格納された特性情報のデータ量が十分でない場合であっても、特性変数と特性決定変数との間の関係を、視覚により容易に予測することができる。
【０００９】
また、表示制御手段は、他の種類の特性決定変数の値に対応するグラフ上の位置を特定させるための操作子を表示させ、入力受付手段は、操作子を用いて特定された位置に基づいて、他の種類の特性決定変数の値を受け付けることも好ましい。この場合、表示対象の特性変数の変化特性を決める条件を視覚的に確認しながら入力できるので、ユーザの条件入力時の操作が円滑化される。
【発明の効果】
【００１０】
本発明の電子部品特性表示システム及び電子部品特性表示プログラムによれば、電子部品の複数のパラメータ間の特性を表示させる際のユーザの操作性を向上させることができる。
【発明を実施するための最良の形態】
【００１１】
以下、図面を参照しつつ本発明に係る電子部品特性表示システムの好適な実施形態について詳細に説明する。なお、図面の説明においては同一又は相当部分には同一符号を付し、重複する説明を省略する。以下の説明においては、本発明の実施の形態として、複数の電子部品の特性をグラフにより表示する電子部品特性表示装置を例示する。
【００１２】
図１は、本発明の好適な一実施形態に係る電子部品特性表示装置１０の概略構成を示すブロック図である。同図に示す電子部品特性表示装置１０は、インダクタ、コンデンサ、フィルタ等の複数種類の電子部品のインダクタンス特性や容量特性等の諸特性をグラフにより表示する機能を備える。電子部品特性表示装置１０は、後述する機能を実現する回路等を備える専用の装置であってもよいし、後述する機能を実行させるプログラムによって動作する汎用のコンピュータであってもよい。以下においては、電子部品特性表示装置１０がパーソナルコンピュータやサーバ装置等の汎用コンピュータ上において実現されているものとして説明する。
【００１３】
図１に示すように、電子部品特性表示装置１０は、機能的には、入力受付部（入力受付手段）１４、カーソル表示制御部１６とグラフ表示制御部１８とを含む表示制御手段２０、特性特定部（特性特定手段）２２、及びデータアクセス制御部２４を備えている。
【００１４】
この電子部品特性表示装置１０は、物理的には、図２に示すように、ＣＰＵ３０、主記憶装置であるＲＡＭ３２及びＲＯＭ３４、ハードディスク等の補助記憶装置４０、入力デバイスであるキーボード及びマウス等の入力装置３６、情報を表示する出力デバイスであるディスプレイ（表示画面）４２、ネットワークカード等のデータ送受信デバイスである通信モジュール３８などを含むコンピュータシステムとして構成されている。図１において説明した各機能は、図２に示すＣＰＵ３０、ＲＡＭ３２等のハードウェア上に後述する電子部品特性表示プログラムを読み込ませることにより、ＣＰＵ３０の制御のもとで入力装置３６におけるユーザの情報入力を受け付けて、通信モジュール３８及びディスプレイ４２を動作させるとともに、ＲＡＭ３２や補助記憶装置４０におけるデータの読み出し及び書き込みを行うことで実現される。
【００１５】
図１に戻って、入力受付部１４は、入力装置３６を用いて入力されたユーザからの情報入力を受け付ける。具体的には、入力受付部１４は、キーボード又はマウスによって入力された表示対象のグラフの種類を特定する情報、そのグラフを描画する際の条件情報を受け付ける。この入力受付部１４は、ディスプレイ４２上でのテキストボックスやリストボックス等を用いた情報の受け付け機能、ディスプレイ４２上のカーソル等の操作子の位置を特定することによる情報の受け付け機能を有する。また、入力受付部１４は、ディスプレイ４２上で情報入力を受け付けるためのＧＵＩ（Graphical User Interface）部品として、テキストボックス、リストボックス、カーソル以外にも、チェックボックス、トグルボタン、コマンドボタン等の様々なＧＵＩ部品を用いることができる。
【００１６】
特性情報格納部２６は、ＲＡＭ３２や補助記憶装置４０内に記憶領域が割り当てられた情報格納手段であり、様々な電子部品に関する特性情報を格納している。図３には、特性情報格納部２６に格納された特性情報の構成の一例を示している。同図に示すように、個々の電子部品を識別する“製品名：ＡＡＡ”、及びその電子部品の特性変数である“インピーダンス：１”が、その電子部品の特性変数に関する特性を決定するパラメータである複数の特性決定変数に関連づけて格納されている。この特性決定変数としては、例えば、その電子部品の印加電流或いは印加電圧の周波数を示す情報である“周波数：１”、その印加電流或いは印加電圧の交流成分の振幅を示す情報である“ＡＣレベル：１”、印加電流或いは印加電圧の直流成分のレベルを示す情報である“ＤＣバイアス：０”、及び電子部品の環境温度を示す情報である“温度：２５”が存在する。特性情報格納部２６には、これらの特性決定変数の複数の組み合わせに対応する電子部品の特性変数の値が、複数のデータレコードとして格納されている。より詳細には、“製品名：ＡＡＡ”で特定される電子部品の特性変数“インピーダンス”の値が、特性決定変数である“周波数”、“ＡＣレベル”、“ＤＣバイアス”、及び“温度”の組み合わせに対応する条件毎に存在している。
【００１７】
図１に戻って、データアクセス制御部２４は、特性情報格納部２６に格納された情報に関する読み出し処理、書き込み処理等を実行するデータアクセス機能を担う。ここで、データアクセス制御部２４は、特性特定部２２の制御に基づいて特性情報格納部２６に対してアクセスする。
【００１８】
特性特定部２２は、入力受付部１４によって受け付けられた表示対象のグラフの種類を特定する情報及び条件情報に基づいて、データアクセス制御部２４を制御して、特性情報格納部２６から必要な情報を取り出す。例えば、特性特定部２２は、入力受付部１４によって受け付けられた情報により、“ＤＣバイアスが0mA〜500mAの範囲における製品ＡＡＡに関するインピーダンスの周波数特性”が表示対象として特定された場合は、その条件に一致する情報を特性情報格納部２６から取り出す。図３の例によれば、特性特定部２２は、入力された条件に合致する特性決定変数“ＤＣバイアス”の値である“0”、“100”、“300”の値毎に、特性決定変数“周波数”の値と特性変数“インピーダンス”の値との組を特定する。ここで、特定するデータは、他の特性決定変数として存在する“ＡＣレベル”、“温度”の値に予め設定された所定値（例えば、“ＡＣレベル：１”、“温度：２５”）を含むものが選択される。これにより、特性特定部２２は、特性決定変数“ＤＣバイアス”毎の特性決定変数“周波数”の変化に対する特性変数“インピーダンス”の変化を特定する。
【００１９】
グラフ表示制御部１８は、特性特定部２２によって特定された特性決定変数の変化に対する特性変数の変化に基づいて、その変化の特性をグラフとしてディスプレイ４２上に表示させる。例えば、特性特定部２２により、特性決定変数“ＤＣバイアス”の値である“0”、“100”、“300”の値毎に、特性決定変数“周波数”の値と特性変数“インピーダンス”の値との組が特定された場合について説明する。このとき、グラフ表示制御部１８は、図４に示すように、特性決定変数“周波数”を横軸にし、特性変数“インピーダンス”を縦軸に設定した座標平面を描画する。そして、グラフ表示制御部１８は、特性決定変数“ＤＣバイアス”の値である“0”、“100”、“300”の値毎に、その座標平面上における特性決定変数“周波数”の値と特性変数“インピーダンス”の値との組に対応する位置を演算し、それらの位置を結ぶ近似曲線をグラフとして表示させる。その結果、特性決定変数“ＤＣバイアス”の値毎の電子部品のインピーダンスの周波数特性が表示される。
【００２０】
カーソル表示制御部１６は、グラフ表示制御部１８によって表示されたグラフにおける横軸に割り当てられたパラメータである特性決定変数の値を選択入力させるためのＧＵＩ部品を表示させる。具体的には、カーソル表示制御部１６は、入力受付部１４を介して、ユーザから特定のキー入力（例えば、“Ｂ”）が受け付けられると、ディスプレイ４２上に表示されている横軸の位置を特定するためのカーソルＧ１やラインマークＧ２等の操作子を表示させる。これに対して、ユーザによるマウス操作等によってその操作子の位置が変更された後にマウスクリック操作等の所定の確定入力が為されると、入力受付部１４がその操作子の位置情報を受け付け、その位置情報に基づいて特性決定変数の値の選択を受け付ける。図４には、特性決定変数“周波数”の値として“500”が受け付けられた場合を示している。なお、カーソル表示制御部１６が表示させる特性決定変数の入力のためのＧＵＩ部品としては、特性決定変数の値を入力或いは選択させるためのテキストボックス、リストボックス等の様々なＧＵＩ部品によって代用が可能である。
【００２１】
ここで、特性特定部２２及びグラフ表示制御部１８は、グラフ上に表示される操作子を利用して特性決定変数の値が受け付けられた際の機能として、以下のような機能を更に有する。すなわち、特性特定部２２は、グラフ表示の際に特性情報格納部２６から読み出された特性決定変数“ＤＣバイアス”の値毎の特性決定変数“周波数”の値と特性変数“インピーダンス”の値との組を参照して、受け付けられた特性決定変数“周波数：５００”に一致するデータのみを取り出す。これにより、ある特性決定変数に関する条件“周波数：５００”における特性決定変数“ＤＣバイアス”の変化に対する特性変数“インピーダンス”の変化特性が特定される。例えば、図４の表示例においては、特性決定変数“ＤＣバイアス”の値が“0”、“100”、“300”、“500”であり、かつ特性決定変数“周波数”が“５００”である場合それぞれに対する特性変数“インピーダンス”の値が特定される。この場合、特性特定部２２は、特性決定変数“ＤＣバイアス”の値“0”、“100”、“300”、“500”の間における特性変数“インピーダンス”の値を補完する機能を有していることが好ましい。例えば、特性決定変数“ＤＣバイアス”の値“50”、“200”、“400”に対応する特性変数“インピーダンス”の値を、平均法や関数フィッティング等の手法により追加することが考えられる。
【００２２】
これに対して、グラフ表示制御部１８は、特性特定部２２によって特性決定変数“ＤＣバイアス”の変化に対する特性変数“インピーダンス”の変化特性が特定されると、その変化特性に対応する座標面及びグラフを前回のグラフ表示から切り替えてディスプレイ４２上に表示させる（図５）。この際、グラフ表示制御部１８は、特性特定部２２によって特定された情報の組に基づいて座標面上の位置を演算し、それらの位置を結ぶ折れ線を描画する。また、グラフ表示制御部１８は、座標面上の位置を結ぶ近似曲線を求めて描画するようにしてもよい。
【００２３】
以上説明した電子部品特性表示装置１０によれば、特性特定部２２により、特性情報格納部２６が参照されて特性決定変数“ＤＣバイアス”毎に特性決定変数“周波数”の変化に対する特性変数“インピーダンス”の値の変化が特定され、表示制御手段２０により、特定された変化に基づいて、特性決定変数“周波数”に対する特性変数“インピーダンス”の変化特性がグラフとしてディスプレイ４２上に表示される。このグラフ表示の際には、表示制御手段２０により、特性決定変数“周波数”の値を入力させるためのカーソルＧ１、ラインマークＧ２等の操作子が併せて表示され、入力受付部１４により、操作子を用いて入力された特性決定変数“周波数”の値が受け付けられると、特性特定部２２によって、その値における特性決定変数“ＤＣバイアス”の変化に対する特性変数“インピーダンス”の変化が特定され、表示制御手段２０により、その特性変数の変化特性がグラフ表示される。これにより、ある特性決定変数に対する特性変数の変化を視覚的に確認しながら、その特性決定変数の任意の値をディスプレイ上で選択することによって、その値における他の特性決定変数に対する特性変数の変化をスムーズに表示させることができる。その結果、所望の条件下における複数種類の特性決定変数に対する特性変数の変化特性を表示させる際に、表示の切り替え及び条件設定時の操作性が向上し、電子部品の設計の効率化が図れる。
【００２４】
また、特性特定部２２が特定変数の値を補完する機能を有するので、特性情報格納部２６に格納された特性情報のデータ量が十分でない場合であっても、特性変数と特性決定変数との間の関係を、視覚により容易に予測することができる。
【００２５】
また、入力受付部１４は操作子を用いて特性決定変数の値を受け付けることにより、表示対象の特性変数の変化特性を決める条件を視覚的に確認しながら入力できるので、ユーザの条件入力時の操作が円滑化される。
【００２６】
以下、コンピュータを電子部品特性表示装置１０として起動させるための電子部品特性表示プログラムについて説明する。図６は、本発明の実施形態に係る電子部品特性表示プログラムの構成を示す図である。同図には、電子部品特性表示プログラムが、磁気媒体と共に示されている。
【００２７】
電子部品特性表示プログラムＰ１０は、記録媒体１００に格納されて提供される。記録媒体１００としては、フロッピーディスク（登録商標）、ＣＤ−ＲＯＭ、ＤＶＤ、又はＲＯＭ等の記憶媒体、あるいは半導体メモリ等が例示される。
【００２８】
この電子部品特性表示プログラムＰ１０によって動作するコンピュータは、ＣＰＵ、メモリ、ハードディスク、マウス、キーボード、ディスプレイ、ドライブ装置、通信装置等を備える汎用のコンピュータであることができる。かかるコンピュータは、記録媒体１００がドライブ装置に挿入されると、記録媒体１００に格納された電子部品特性表示プログラムＰ１０にアクセス可能になり、当該電子部品特性表示プログラムＰ１０によって電子部品特性表示装置１０として動作することが可能になる。
【００２９】
なお、電子部品特性表示プログラムＰ１０は、搬送波に重畳されたコンピュータ信号としてネットワークを介して提供されるものであってもよい。この場合に、コンピュータは、通信装置によって受信した電子部品特性表示プログラムＰ１０をメモリに格納することによって当該電子部品特性表示プログラムＰ１０を実行することができる。
【００３０】
図６に示すように、電子部品特性表示プログラムＰ１０は、メインモジュールＰ１２、入力受付モジュールＰ１４、カーソル表示制御モジュールＰ１６、グラフ表示制御モジュールＰ１８、特性特定モジュールＰ２０、及びデータアクセス制御モジュールＰ２２から構成されている。入力受付モジュールＰ１４、カーソル表示制御モジュールＰ１６、グラフ表示制御モジュールＰ１８、特性特定モジュールＰ２０、及びデータアクセス制御モジュールＰ２２がコンピュータに実現させる機能はそれぞれ、入力受付部１４、カーソル表示制御部１６、グラフ表示制御部１８、特性特定部２２、及びデータアクセス制御部２４と同一である。
【００３１】
なお、本発明は上記した実施形態に限定されることなく種々の変形が可能である。例えば、表示対象の特性変数としては、インピーダンス特性以外にも容量特性等の他の特性が選択されてもよいし、その特性変数に対応する特性決定変数としては、ＤＣバイアス値、環境温度、経過時間等の他のパラメータが選択されてもよい。
【図面の簡単な説明】
【００３２】
【図１】本発明の好適な一実施形態に係る電子部品特性表示装置の概略構成を示すブロック図である。
【図２】図１の電子部品特性表示装置のハードウェア構成を示すブロック図である。
【図３】図１の特性情報格納部に格納された特性情報の構成を示す図である。
【図４】図１のグラフ表示制御部によって表示制御された画面の一例を示す図である。
【図５】図１のグラフ表示制御部によって表示制御された画面の一例を示す図である。
【図６】本発明の好適な一実施形態に係る電子部品特性表示プログラムの構成を示す図である。
【符号の説明】
【００３３】
１０…電子部品特性表示装置、１４…入力受付部（入力受付手段）、２０…表示制御手段、２２…特性特定部（特性特定手段）、２４…データアクセス制御部、２６…特性情報格納部（特性情報格納手段）、Ｐ１０…電子部品特性表示プログラム、Ｐ１４…入力受付モジュール、Ｐ１６…カーソル表示制御モジュール、Ｐ１８…グラフ表示制御モジュール、Ｐ２０…特性特定モジュール。
【図１】
2008243010.tif 000003
【図２】
2008243010.tif 000004
【図３】
2008243010.tif 000005
【図４】
2008243010.tif 000006
【図５】
2008243010.tif 000007
【図６】
2008243010.tif 000008